(57)【要約】【課題】労働集約性が低く、高い清掃効率を備えた清掃用デバイスを提供する。【解決手段】清掃用デバイスは、駆動ローラ１０、従動ローラ２０、駆動ローラ１０及び従動ローラ２０の上にスリーブ付けされた可撓性の清掃ベルト３０、清掃ベルト３０の一方の側面に配置されたゴミ回収ボックス５０、ゴミ回収ボックス５０の上側に配置されたブラシ６０、汚水回収タンク７０、清掃ベルト３０の側面に配置された清掃水タンク８０及び水絞りローラ９０を備える。ゴミ回収ボックス５０には清掃ベルト３０の一端付近にガイドプレート５１が備えられ、ガイドプレート５１は清掃ベルト３０の外側に対向し、汚水回収タンク７０及び清掃水タンク８０は清掃ベルト３０の移動方向に沿ってゴミ回収ボックス５０の下流に位置し、水絞りローラ９０は汚水回収タンク７０に対向する。【選択図】図１
2020509788.tif 000002
【特許請求の範囲】
【請求項１】
駆動ローラと、
従動ローラと、
前記駆動ローラ及び前記従動ローラにスリーブ付けされた可撓性の清掃ベルトと、
前記清掃ベルトの一方の側面に配置されたゴミ回収ボックスと、
前記ゴミ回収ボックスの上側に配置されたブラシと、
前記清掃ベルトの側面に配置された汚水回収タンク、清掃水タンク及び水絞りローラと、を備え、
前記ゴミ回収ボックスには、前記清掃ベルトの一端付近にガイドプレートが備えられており、
前記ガイドプレートは、前記清掃ベルトの外側に対向し、
前記汚水回収タンク及び前記清掃水タンクは両方共、前記清掃ベルトの移動方向に沿って前記ゴミ回収ボックスの下流に位置し、
前記水絞りローラは、前記汚水回収タンクに対向する、清掃用デバイス。
【請求項２】
引張ローラを更に備え、
前記引張ローラは、前記駆動ローラと前記従動ローラとの間に位置し、
前記清掃ベルトは、前記引張ローラの周りを捲回する、請求項１に記載の清掃用デバイス。
【請求項３】
引張ローラの数は２個である、請求項２に記載の清掃用デバイス。
【請求項４】
荷重支持ホイールが、前記ゴミ回収ボックスの下側に更に配置されている、請求項１に記載の清掃用デバイス。
【請求項５】
前記ブラシは、ローラブラシである、請求項１に記載の清掃用デバイス。
【請求項６】
前記ローラブラシは、回転ローラにスリーブ付けされ、
前記回転ローラの一端は、回転モータに接続している、請求項５に記載の清掃用デバイス。
【請求項７】
前記汚水回収タンクは、前記清掃ベルトの下側に位置し、
前記清掃水タンクは、前記汚水回収タンクとは反対側の前記清掃ベルトの側面に位置している、請求項１に記載の清掃用デバイス。
【請求項８】
前記汚水回収タンク及び前記清掃水タンクは両方共、前記清掃ベルトの上側に位置し、
前記汚水回収タンクは、前記清掃ベルトの移動方向に沿って、前記清掃水タンクの下流に位置している、請求項１に記載の清掃用デバイス。
【請求項９】
前記汚水回収タンクは、ウォータポンプに接続され、
前記ウォータポンプは、前記清掃ベルトの表面に対応している、請求項８に記載の清掃用デバイス。
【請求項１０】
前記汚水回収タンクには、前記清掃ベルトの側面に対向する吸水孔が備えられている、請求項１に記載の清掃用デバイス。
【請求項１１】
前記汚水回収タンクの一端には、排水口が備えられている、請求項１０に記載の清掃用デバイス。
【請求項１２】
前記清掃水タンクは、前記清掃ベルトの一方の側面に対向する排水孔が備えられており、
前記清掃水タンクの一端には、吸水口が備えられている、請求項１に記載の清掃用デバイス。
【請求項１３】
前記水絞りローラの数は２個であり、
前記２個の水絞りローラは、前記清掃ベルトの反対側にそれぞれ位置している、請求項１に記載の清掃用デバイス。
【請求項１４】
前記汚水回収タンクは、前記清掃ベルトの側面に対向する凸部を有し、
前記水絞りローラの数は１個であり、前記水絞りローラは、前記汚水回収タンクに対して前記清掃ベルトの反対側に位置し、前記水絞りローラは、前記凸部に対向している、請求項１に記載の清掃用デバイス。
【請求項１５】
前記ガイドプレートは、前記ゴミ回収ボックスの一端から離れて配置された鋭角部を有する、請求項１に記載の清掃用デバイス。
【請求項１６】
前記ガイドプレートは、湾曲している、請求項１又は１５に記載の清掃用デバイス。
【発明の詳細な説明】
【技術分野】
【０００１】
本発明は、清掃用機器、特に清掃用デバイスの分野に関する。
【背景技術】
【０００２】
環境衛生は、生活の質に影響を及ぼす重要な要因である。それ故に、人々の生活の質の必要条件が連続的に改善するに伴い、環境衛生のための対応する必要条件がますます大きくなっている。しかし、現代の人々の仕事に対するプレッシャーが日々増加しているため、人々を重労働である清掃作業から解放するための喫緊の必要性が存在している。したがって、環境衛生を改善するための多数の地面清掃機器が存在している。
従来の清掃機器は、全般的に、機械の前にあるモータにより作動して、地面に対して回転するように清掃部品を駆動させている。しかし、従来の清掃機器がしばらくの間、床を清掃した後で、引き続き床を清掃するために、人の手で清掃部品を清掃する必要がある。長めの清掃時間及び清掃効率の低さ故に、一度の清掃期間の間に清掃作業を確実に完了させるのは、非常に大きな労働力を必要とし、困難である。
【発明の概要】
【発明が解決しようとする課題】
【０００３】
このことに基づき、労働集約性が低く、高い清掃効率を備えた清掃用デバイスを提供することが必要である。
【課題を解決するための手段】
【０００４】
本発明に係る清掃用デバイスの実施態様は、駆動ローラと、従動ローラと、駆動ローラ及び従動ローラの上にスリーブ付けされた可撓性の清掃ベルトと、清掃ベルトの一方の側面に配置されたゴミ回収ボックスと、ゴミ回収ボックスの上側に配置されたブラシと、汚水回収タンクと、清掃ベルトの側面に配置された清掃水タンク及び水絞りローラと、を備え、ゴミ回収ボックスには、清掃ベルトの一端付近にガイドプレートが備えられており、ガイドプレートは、清掃ベルトの外側に対向し、汚水回収タンク及び清掃水タンクは両方共、清掃ベルトの移動方向に沿ってゴミ回収ボックスの下流に位置しており、水絞りローラは、汚水回収タンクに対向する。
【０００５】
清掃用デバイスには、汚水回収タンク及び清掃水タンクが備えられている。清掃用デバイスが清掃作業を行う際、清掃水タンク内の清掃水が清掃ベルト上に流れて、清掃ベルトを清掃する。清掃ベルト上の汚水及び過剰の水は、水絞りローラにより汚水回収タンク内に絞り出される。
このようにして、清掃ベルトはきれいなままとなり、清掃ベルトの含水量が維持されるため、清掃ベルトを人の手で清掃する必要がなくなり、このことは労働集約性を低下させるのに有益である。
地面の清掃は、一度の清掃期間の間に完了することができ、清掃時間が短縮され、清掃用デバイスの清掃効率が改善される。
【０００６】
他の実施態様は、引張ローラが更に備えられ、引張ローラは、駆動ローラと従動ローラとの間に位置し、清掃ベルトは引張ローラの周りを捲回する。
【０００７】
他の実施態様は、引張ローラの数は２個である。
【０００８】
他の実施態様は、荷重支持ホイールが、ゴミ回収ボックスの下側に更に配置されている。
【０００９】
他の実施態様は、ブラシはローラブラシである。
【００１０】
他の実施態様は、ローラブラシは、回転ローラにスリーブ付けされ、回転ローラの一端は、回転モータに接続している。
【００１１】
他の実施態様は、汚水回収タンクは、清掃ベルトの下側に位置し、清掃水タンクは、汚水回収タンクとは反対側の清掃ベルトの側面に位置している。
【００１２】
他の実施態様は、汚水回収タンク及び清掃水タンクは両方共、清掃ベルトの上側に位置し、汚水回収タンクは、清掃ベルトの移動方向に沿って清掃水タンクの下流に位置する。
【００１３】
他の実施態様は、汚水回収タンクは、ウォータポンプに接続され、ウォータポンプは、清掃ベルトの表面に対応している。
【００１４】
他の実施態様は、汚水回収タンクには、清掃ベルトの側面に対向する吸水孔が備えられている。
【００１５】
他の実施態様は、汚水回収タンクの一端には排水口が備えられている。
【００１６】
他の実施態様は、清掃水タンクには清掃ベルトの一方の側面に対向する排水孔が備えられており、清掃水タンクの一端には吸水口が備えられている。
【００１７】
他の実施態様は、水絞りローラの数は２個であり、２個の水絞りローラは、清掃ベルトの反対側にそれぞれ位置している。
【００１８】
他の実施態様は、汚水回収タンクは、清掃ベルトの側面に対向する凸部を有し、水絞りローラの数は１個であり、水絞りローラは、汚水回収タンクに対して清掃ベルトの反対側に位置し、水絞りローラは、凸部に対向している。
【００１９】
他の実施態様は、ガイドプレートは、ゴミ回収ボックスの一端から離れた鋭角部に配置されている。
【００２０】
他の実施態様は、ガイドプレートは、湾曲している。
【図面の簡単な説明】
【００２１】
【図１】本発明の第１実施形態に係る清掃用デバイスの正面図である。
【図２】清掃用デバイスの斜視図である。
【図３】清掃用デバイスの平面図である。
【図４】本発明の第１実施形態に係る清掃用デバイスの正面図である。
【発明を実施するための形態】
【００２２】
本発明の理解を容易にするために、本発明を以下に更に詳しく説明することとする。ただし、本発明は多くの異なる形態で実施することができ、本明細書に記載された実施形態に限定されない。むしろ、これらの実施形態は、本発明の理解を一層完全なものにするために提供される。
【００２３】
別段に定義しない限りは、本明細書で使用する技術及び科学用語は全て、同一の意味を有する。本発明の説明において本明細書で使用される専門用語は、特定の実施形態を説明することを目的とし、本発明を限定することを意図するものではない。
【００２４】
要素が別の要素に「固定され」ていると称される場合、それは他の要素の上に直接あってもよく、又は介在要素が存在してもよいことに留意すべきである。要素が別の要素に「接続され」ていると考えられるとき、それは他の要素に直接接続されてもよく、又は介在要素が存在してもよい。対照的に、要素が別の要素「上に直接」存在すると称される場合、介在要素は存在しない。本明細書で使用する場合、用語「垂直」、「水平」、「左」、「右」等は、単なる例示的な目的で用いられている。
【００２５】
〔第１実施形態〕
図１〜図３を参照すると、地面の汚水１００を清掃するための、第１実施形態に係る清掃用デバイスが提供される。
清掃用デバイスは、駆動ローラ１０と、従動ローラ２０と、駆動ローラ１０と従動ローラ２０との上にスリーブ付けされた可撓性の環状清掃ベルト３０と、引張ローラ４０と、清掃ベルト３０の一方の側面に配置されたゴミ回収ボックス５０と、ゴミ回収ボックス５０の上に装着されたブラシ６０と、清掃ベルト３０の側面に配置された汚水回収タンク７０と、清掃水タンク８０と、水絞りローラ９０と、を備える。
【００２６】
駆動モータは、駆動ローラ１０の一端に接続しており、駆動ローラ１０は、駆動モータにより駆動されて、清掃ベルト３０を駆動させる。本実施形態において、清掃ベルト３０は、反時計回りに駆動され、清掃ベルト３０は、地面に接近している。地面のゴミは、ゴミ回収ボックス５０の方向に掃き入れられる。
清掃ベルト３０は、強力な吸水性及び強力な接着力を有する可撓性材料で製造される。可撓性材料は、ゴム、綿等であることができるため、清掃ベルト３０は、地面の汚水及び埃を吸着することができる。清掃ベルト３０の清掃効果を高めるために、清掃ベルト３０の表面を波形状に形成してよい。
引張ローラ４０は、駆動ローラ１０と従動ローラ２０との間に位置しており、清掃ベルト３０は、清掃ベルト３０の張力を調整するための引張ローラ４０の周りを捲回する。本実施形態では、引張ローラ４０の数は２個である。
【００２７】
ゴミ回収ボックス５０は、ゴミを回収するために使用される。ゴミ回収ボックス５０には、清掃ベルト３０の一端付近にガイドプレート５１が備えられている。
ガイドプレート５１は、弧形状に配置されている。ガイドプレート５１は、清掃ベルト３０の外側に対応し、ガイドプレート５１及び清掃ベルト３０は協同して、ゴミをゴミ回収ボックス５０の中に誘導する。
ゴミ回収ボックス５０から離れて位置するガイドプレート５１の端部は、鋭角部を有し、ゴミは、ゴミ回収ボックス５０により容易に誘導される。
荷重支持ホイール５２は、ゴミ回収ボックス５０の下側に更に配置されている。具体的には、荷重支持ホイール５２は、ゴミ回収ボックス５０とガイドプレート５１との接合部の下側に位置している。動作中、荷重支持ホイール５２は、地面に沿って回転し、荷重支持ホイール５２によって清掃用デバイスが移動するのをより容易にしている。
【００２８】
ブラシ６０は、清掃ベルト３０の一方の側面に位置し、ブラシ６０は、清掃ベルト３０に吸着したゴミをゴミ回収ボックス５０の中に掃き入れるために使用されている。本実施形態では、ブラシ６０は、ローラブラシである。ブラシ６０は、回転ローラ６１に接続している。
回転ローラ６１の一端は、回転モータと接続している。回転ローラ６１は、回転モータの駆動力によって回転するようにブラシ６０を駆動させる。したがって、ブラシ６０は、清掃ベルト３０の上にゴミを素早く掃き入れる。本実施形態において、ブラシ６０は、反時計回りに回転する。
【００２９】
汚水回収タンク７０は、清掃ベルト３０の移動方向に沿って、ゴミ回収ボックス７０の下流に位置している。本実施形態では、汚水回収タンク７０は、清掃ベルト３０の下側に位置し、汚水回収タンク７０は、汚水を保管するために使用される。
図３を参照すると、汚水回収タンク７０には、清掃ベルト３０の側面に向かって面する吸水孔７１が備えられている。清掃ベルト３０上の汚水が、吸水孔７１から汚水回収タンク７０に入る。汚水回収タンク７０の一端に配置された排水口７２もまた存在し、汚水回収タンク７０内の汚水が排水口７２から排水される。
【００３０】
清掃水タンク８０は、清掃ベルト３０の移動方向に沿って、ゴミ回収ボックス５０の下流に位置している。清掃水タンク８０は、汚水回収タンク７０とは反対側の清掃ベルト３０の側面に位置し、清掃水タンク８０は、汚水回収タンク７０に対応している。清掃水タンク８０を使用して、清掃水を保管する。
図２を参照すると、清掃水タンク８０には、清掃ベルト３０に向かって面する排水孔８１が備えられ、清掃水タンク８０内の清掃水は、清掃ベルト３０を清掃するために、排水孔８１から清掃ベルト３０の上に流れる。清掃水タンク８０の一端には、吸水口８２が備えられている。
【００３１】
水絞りローラ９０は、汚水回収タンク７０に対応している。本実施形態では、水絞りローラ９０の数は２個であり、２個の水絞りローラ９０は、清掃ベルト３０の反対側にそれぞれ位置している。２個の水絞りローラ９０間の距離は、遊離状態の清掃ベルト３０の厚さより小さく、２個の水絞りローラ９０は相互作用して、清掃ベルト３０上の汚水及び過剰の水を汚水回収タンク７０に絞り出す。
【００３２】
〔第２実施形態〕
図４を参照すると、本発明の第２実施形態に係る清掃装置は、駆動ローラ１０ａと、従動ローラ２０ａと、駆動ローラ１０ａと従動ローラ２０ａとの上にスリーブ付けされた可撓性の清掃ベルト３０ａと、引張ローラ４０ａと、清掃ベルト３０ａの一方の側面に配置されたゴミ回収ボックス５０ａと、ゴミ回収ボックス５０ａの上に装着されたブラシ６０ａと、汚水回収タンク７０ａと、清掃水タンク８０ａと、清掃ベルト３０ａの側面に備えられた水絞りローラ９０ａと、を備える。
第１実施形態との違いは、汚水回収タンク７０ａ及び清掃水タンク８０ａは両方共、清掃ベルト３０ａの上側に位置し、汚水回収タンク７０ａは、清掃ベルト３０ａに沿って清掃水タンク８０ａの下流に位置するという点である。
汚水回収タンク７０ａは、ウォータポンプと接続している。ウォータポンプは、清掃ベルト３０ａの表面に対応している。清掃水タンク８０ａ内の水が清掃ベルト３０ａを清掃した後、清掃ベルト３０上の汚水及び過剰の水は、ウォータポンプにより汚水回収タンク７０ａ内に送り込まれる。
第１実施形態との違いは、汚水回収タンク７０ａが清掃ベルト３０の側面に向かう凸部７１ａを有し、水絞りローラ９０ａの数が１個であり、水絞りローラ９０ａが、汚水回収タンク７０ａに対して清掃ベルト３０の反対側に位置するという点である。
水絞りローラ９０ａは、凸部７１ａに対応し、水絞りローラ９０ａと凸部７１ａとの間の距離は、遊離状態の清掃ベルト３０の厚さより小さい。清掃ベルト３０ａ上の汚水及び過剰の水は、水絞りローラ９０ａと凸部７１ａとの相互作用により汚水回収タンク７０ａ内に絞り出される。
【００３３】
清掃用デバイスが地面を清掃する際、駆動ローラ１０は、駆動モータの駆動力により清掃ベルト３０を駆動させ、清掃ベルト３０は、地面に接近している。清掃ベルト３０は、地面のゴミをゴミ回収ボックス５０に向けて掃き入れ、清掃ベルト３０は、ガイドプレート５１と協同して、ゴミをゴミ回収ボックス５０の中へ誘導する。
ブラシ６０は、清掃ベルト３０に吸着した軽量のゴミをゴミ回収ボックス５０の中へ掃き入れるために使用される。
清掃水タンク８０は、清掃ベルト３０を清掃し、汚水及び過剰の水が、水絞りローラ９０により汚水回収タンク７０内に絞り出される。
引張ローラの位置を調節することにより、清掃ベルト３０の張力を調節することができ、これにより、清掃ベルト３０の含水量が調節される。
【００３４】
本発明の清掃用デバイスには、汚水回収タンク７０及び清掃水タンク８０が備えられている。清掃用デバイスが清掃作業を行う際、清掃水タンク８０内の清掃水が清掃ベルト３０の上に流れて、清掃ベルト３０を清掃し、清掃ベルト３０が水絞りローラ４０を通過する。汚水及び過剰の水が汚水回収タンク７０内に絞り出され、清掃ベルト３０はきれいなままとなり、清掃ベルト３０の含水量が維持される。
清掃ベルト３０を人の手で清掃する必要がなくなる。これは、労働集約性を低下するのに有利である。
地面の清掃は、一度の清掃期間の間に完了することができ、清掃時間が短縮される。これは、清掃用デバイスの清掃効率の改善に有益である。
汚水回収タンク７０は、清掃ベルト３０を清掃した後に汚水を保管するために使用され、清掃水タンク８０は、清掃水を保管して、清掃ベルト３０の清掃性を確保するために使用される。このことは、地面を清掃する際に清掃効率を改善するのに有益である。
清掃ベルトを環形状に配置することにより、清掃効率が改善され、有効寿命が延びる。
【００３５】
上述した実施形態の技術的特徴を、任意の組み合わせで組み合わせてもよい。説明を簡潔にするために、上記実施形態における技術的特徴の全ての可能な組み合わせを記載していない。しかし、これらの技術的特徴の組み合わせに矛盾がない限り、全てのものが本手引の範囲として考えられるべきである。
【００３６】
上述の実施形態は、本発明のいくつかの実施形態を単に例示するものであり、これらの説明は、より具体的でありかつ詳述されているが、本発明の範囲を限定するものとして解釈されるべきではない。本発明の趣旨及び範囲を逸脱することなく、当業者によっていくつかの変形例及び変更例がなされ得ることに留意されたい。したがって、本発明の保護範囲は、添付の請求項に制約されるものとする。
【符号の説明】
【００３７】
１０  駆動ローラ
２０  従動ローラ
３０  清掃ベルト
４０  引張ローラ
５０  ゴミ回収ボックス
５１  ガイドプレート
５２  荷重支持ホイール
６０  ブラシ
６１  回転ローラ
７０  汚水回収タンク
７１  吸水孔
７２  排水口
８０  清掃水タンク
８１  排水孔
８２  吸水口
９０  水絞りローラ
１０ａ  駆動ローラ
２０ａ  従動ローラ
３０ａ  清掃ベルト
４０ａ  引張ローラ
５０ａ  ゴミ回収ボックス
６０ａ  ブラシ
７０ａ  汚水回収タンク
７１ａ  凸部
８０ａ  清掃水タンク
９０ａ  水絞りローラ
１００  汚水
【図１】
2020509788.tif 000003
【図２】
2020509788.tif 000004
【図３】
2020509788.tif 000005
【図４】
2020509788.tif 000006
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
駆動ローラと、
従動ローラと、
前記駆動ローラ及び前記従動ローラにスリーブ付けされた可撓性の清掃ベルトと、
前記清掃ベルトの一方の側面に配置されたゴミ回収ボックスと、
前記ゴミ回収ボックスの上側に配置されたブラシと、
前記清掃ベルトの側面に配置された汚水回収タンク、清掃水タンク及び第一水絞りローラと、を備え、
前記ゴミ回収ボックスには、前記清掃ベルトの一端付近にガイドプレートが備えられており、
前記ガイドプレートは、前記清掃ベルトの外側に対向し、
前記汚水回収タンク及び前記清掃水タンクは両方共、前記清掃ベルトの移動方向に沿って前記ゴミ回収ボックスの下流に位置し、
前記第一水絞りローラは、前記汚水回収タンクに対向する、清掃用デバイス。
【請求項２】
第一引張ローラを更に備え、
前記第一引張ローラは、前記駆動ローラと前記従動ローラとの間に位置し、
前記清掃ベルトは、前記第一引張ローラの周りを捲回する、請求項１に記載の清掃用デバイス。
【請求項３】
第二引張ローラを更に備え、
前記第一引張ローラは前記清掃ベルトの外面の裏側である内面に接し、
前記第二引張ローラは前記清掃ベルトの外面に接している、請求項２に記載の清掃用デバイス。
【請求項４】
荷重支持ホイールが、前記ゴミ回収ボックスの下側に更に配置されている、請求項１に記載の清掃用デバイス。
【請求項５】
前記ブラシは、ローラブラシである、請求項１に記載の清掃用デバイス。
【請求項６】
前記ローラブラシは、回転ローラにスリーブ付けされ、
前記回転ローラの一端は、回転モータに接続している、請求項５に記載の清掃用デバイス。
【請求項７】
前記汚水回収タンクは、前記清掃ベルトの下側に位置し、
前記清掃ベルトは、前記汚水回収タンクと前記清掃水タンクの間に位置している、請求項１に記載の清掃用デバイス。
【請求項８】
前記汚水回収タンク及び前記清掃水タンクは両方共、前記清掃ベルトの上側に位置し、
前記汚水回収タンクは、前記清掃ベルトの移動方向に沿って、前記清掃水タンクの下流に位置している、請求項１に記載の清掃用デバイス。
【請求項９】
前記汚水回収タンクは、ウォータポンプに接続されている、請求項８に記載の清掃用デバイス。
【請求項１０】
前記汚水回収タンクには、前記清掃ベルトに対向する吸水孔が備えられている、請求項１に記載の清掃用デバイス。
【請求項１１】
前記汚水回収タンクの一端には、排水口が備えられている、請求項１０に記載の清掃用デバイス。
【請求項１２】
前記清掃水タンクは、前記清掃ベルトに対向する排水孔が備えられており、
前記清掃水タンクの一端には、吸水口が備えられている、請求項１に記載の清掃用デバイス。
【請求項１３】
第二水絞りローラを更に備え、
前記清掃ベルトは、前記第一水絞りローラと前記第二水絞りローラの間に位置している、請求項１に記載の清掃用デバイス。
【請求項１４】
前記汚水回収タンクは、前記清掃ベルトの側面に対向する凸部を有し、
前記清掃ベルトは、前記第一水絞りローラと前記汚水回収タンクの間に位置し、
前記第一水絞りローラは、前記汚水回収タンクの前記凸部と垂直方向に対向している、請求項１に記載の清掃用デバイス。
【請求項１５】
前記ガイドプレートは、前記ゴミ回収ボックスから離れる方向を向いた鋭角部を有する、請求項１に記載の清掃用デバイス。
【請求項１６】
前記ガイドプレートは、湾曲している、請求項１又は１５に記載の清掃用デバイス。
【手続補正２】
【補正対象書類名】明細書
【補正対象項目名】００２１
【補正方法】変更
【補正の内容】
【００２１】
【図１】本発明の第１実施形態に係る清掃用デバイスの正面図である。
【図２】清掃用デバイスの斜視図である。
【図３】清掃用デバイスの平面図である。
【図４】本発明の第２実施形態に係る清掃用デバイスの正面図である。
【手続補正３】
【補正対象書類名】明細書
【補正対象項目名】００２９
【補正方法】変更
【補正の内容】
【００２９】
汚水回収タンク７０は、清掃ベルト３０の移動方向に沿って、ゴミ回収ボックス５０の下流に位置している。本実施形態では、汚水回収タンク７０は、清掃ベルト３０の下側に位置し、汚水回収タンク７０は、汚水を保管するために使用される。
図３を参照すると、汚水回収タンク７０には、清掃ベルト３０の側面に向かって面する吸水孔７１が備えられている。清掃ベルト３０上の汚水が、吸水孔７１から汚水回収タンク７０に入る。汚水回収タンク７０の一端に配置された排水口７２もまた存在し、汚水回収タンク７０内の汚水が排水口７２から排水される。
【手続補正４】
【補正対象書類名】明細書
【補正対象項目名】００３４
【補正方法】変更
【補正の内容】
【００３４】
本発明の清掃用デバイスには、汚水回収タンク７０及び清掃水タンク８０が備えられている。清掃用デバイスが清掃作業を行う際、清掃水タンク８０内の清掃水が清掃ベルト３０の上に流れて、清掃ベルト３０を清掃し、清掃ベルト３０が水絞りローラ９０を通過する。汚水及び過剰の水が汚水回収タンク７０内に絞り出され、清掃ベルト３０はきれいなままとなり、清掃ベルト３０の含水量が維持される。
清掃ベルト３０を人の手で清掃する必要がなくなる。これは、労働集約性を低下するのに有利である。
地面の清掃は、一度の清掃期間の間に完了することができ、清掃時間が短縮される。これは、清掃用デバイスの清掃効率の改善に有益である。
汚水回収タンク７０は、清掃ベルト３０を清掃した後に汚水を保管するために使用され、清掃水タンク８０は、清掃水を保管して、清掃ベルト３０の清掃性を確保するために使用される。このことは、地面を清掃する際に清掃効率を改善するのに有益である。
清掃ベルトを環形状に配置することにより、清掃効率が改善され、有効寿命が延びる。
【手続補正５】
【補正対象書類名】図面
【補正対象項目名】図３
【補正方法】変更
【補正の内容】
【図３】
2020509788.tif 000007
【国際調査報告】
2020509788.tif 000008
2020509788.tif 000009
2020509788.tif 000010
2020509788.tif 000011
2020509788.tif 000012
2020509788.tif 000013